(57)【要約】【課題】地震時に横揺れが発生しても、野縁及び野縁受を接続する部位、吊りボルト及び野縁受けを接合する接合部位を緩みが発生しない強固な接続部とすることで、天井材の破損や脱落を防止して耐震性能を向上させる。【解決手段】野縁１１は、開口部１１ｄが水平方向を向いている溝形鋼である。野縁受け１２は、開口部１２ｄが上方を向いている溝形鋼である。野縁の上部に位置するフランジ１１ｂと野縁受けの下方に位置するウェブと１２ａが当接して接続されている。吊りボルトの下部に連結した吊り金具１３が、野縁受けの開口部を設けた位置で互いに対向している一対の係合受部１２ｂ，１２ｃを内側及び外側から挟持している。【選択図】図５
2015117482.tif 000002
【特許請求の範囲】
【請求項１】
水平の一方向に所定の間隔をあけて並設される複数の野縁と、これら複数の野縁に直交する水平の他方向に所定の間隔をあけて並設され、前記複数の野縁の上部に一体に接続されている複数の野縁受けと、下端が前記野縁受けに吊り金具を介して接続され、上端が上部構造等に固着して上下方向に延在している複数の吊りボルトと、前記複数の野縁に保持されて下階の天井面を形成する複数の天井材と、を備えた吊り天井構造において、
前記野縁は、開口部が水平方向を向いている溝形鋼であり、
前記野縁受けは、開口部が上方を向いている溝形鋼であり、
前記野縁の上部に位置するフランジと前記野縁受けの下方に位置するウェブとが当接した状態で、前記野縁及び前記野縁受けが接続されており、
前記吊りボルトの下部に連結した吊り金具が、前記野縁受けの前記開口部を設けた位置で互いに対向している一対の係合受部を内側及び外側から挟持することで、前記吊りボルト及び前記野縁受けが接続されていることを特徴とする吊り天井構造。
【請求項２】
前記吊りボルトの下部に設けた吊り金具は、
前記野縁受けの前記一対の係合受部の内側に当接する前記吊りボルトに支持された板状の吊り金具本体と、
前記野縁受けの前記一対の係合受け部の外側に当接する板状の補強金具と、
補強金具に形成したスリットと、
前記吊りボルトを前記スリットに挿入して前記一対の係合受部を内側及び外側から当接する前記吊り金具本体及び前記補強金具に対して挟持力を付与するねじ締結部材と、で構成したことを特徴とする請求項１記載の吊り天井構造。
【発明の詳細な説明】
【技術分野】
【０００１】
本発明は、天井材を支持する吊り天井構造に関する。
【背景技術】
【０００２】
従来、オフィスビル等の建物の天井部の構造として吊り天井が多用されている。
吊り天井として、例えば特許文献１に記載の吊り天井構造が知られている。この特許文献１の吊り天井構造は、図７及び図８に示すように、水平の一方向に所定の間隔をあけて並設される複数の野縁１と、複数の野縁１に直交し、水平の他方向に所定の間隔をあけて並設され、複数の野縁に一体に接続して設けられた複数の野縁受け２と、下端を野縁受け２に接続し、上端を上階の床材（上部構造）等に固着して配設される複数の吊りボルト７と、野縁１の下面にビス留めなどによって一体に取り付けられ、下階の天井面を形成する天井材（不図示）とを備えている。
【０００３】
図７に示すように、野縁１及び野縁受け２は断面コ字状の溝形鋼を使用しており、野縁１は、水平方向に延在するウェブ１ｃと、上方に開口する開口部３を形成する一対のフランジ１ａ、１ｂの先端を幅方向内側にそれぞれ突出させてなる一対の係合受部４を備えて形成されている。また、野縁受け２は、上下方向に延在するウェブ２ｃと、ウェブ２ｃの上部及び下部から互いに平行に形成した一対のフランジ２ａ，２ｂとを備えている。
【０００４】
野縁１及び野縁受け２は、図７に示すように、クリップ５を用い、互いに交差する交差部６で接続される。クリップ５は、下端側に幅方向両外側に突出する係合片５ａを備え、上端側に上方に突出する折り曲げ係止片５ｂを備えて形成されている。そして、野縁１の内部に開口部３から下端側の係合片５ａを挿入するとともに野縁１の係合受部４に係合させ、開口部３を横方向に向けて野縁１上に配設された野縁受け２の上端側を巻き込むように折り曲げ係止片５ｂを折り曲げて係止させる。これにより、クリップ５を介して野縁１と野縁受け２を接続する。
【０００５】
また、図８に示すように、吊りボルト７と野縁受け２は、ハンガー８を用いて接続される。ハンガー８は、吊り部材挿通孔９が貫設された吊り部材接続部８ａと、吊り部材接続部８ａの一端から下方に折れ曲がって延設された垂下部８ｂと、垂下部８ｂの下端から折れ曲がって延設された底部８ｃと、底部８ｃから上方に折れ曲がって延設されたクランプ保持部８ｄとを備えて、略Ｊ字状に形成されている。そして、このハンガー８を用いて吊りボルト７と野縁受け２を接続する際には、吊り部材接続部８ａの吊り部材挿通孔９に吊りボルト７を挿通してナット１０を締結することにより、吊り部材接続部８ａに吊りボルト７を接続する。また、ハンガー８の垂下部８ｂとクランプ保持部８ｄの間に野縁受け２を挿入して底部８ｃで受けるとともに、クランプ保持部８ｄと垂下部８ｂで挟み込んで保持させることにより、ハンガー８に野縁受け２が接続される。これにより、ハンガー８を介して吊りボルト７と野縁受け２を接続する。
【先行技術文献】
【特許文献】
【０００６】
【特許文献１】特開２０１３−２１７０４４号公報
【発明の開示】
【発明が解決しようとする課題】
【０００７】
ところで、特許文献１の吊り天井構造は、地震時に作用する水平力（慣性力）によって横揺れが発生しやすい。このため、地震時の横揺れによって、野縁１及び野縁受け２を接合するクリップ５と、吊りボルト７及び野縁受け２を接続するハンガー８に変形が生じやすく、これらの部材の変形による接合部の緩みにより天井材の揺れが増大し、天井材の破損や脱落が発生するおそれがある。
【０００８】
本発明は、上記事情に鑑みてなされたものであり、地震時に横揺れが発生しても、野縁及び野縁受を接続する部位、吊りボルト及び野縁受けを接合する接合部位を緩みが発生しない強固な接続部とすることで、天井材の破損や脱落を防止して耐震性能を向上させることができる吊り天井構造を提供することを目的とする。
【課題を解決するための手段】
【０００９】
上記目的を達成するために、本発明の一態様に係る吊り天井構造は、水平の一方向に所定の間隔をあけて並設される複数の野縁と、これら複数の野縁に直交する水平の他方向に所定の間隔をあけて並設され、複数の野縁の上部に一体に接続されている複数の野縁受けと、下端が野縁受けに吊り金具を介して接続され、上端が上部構造等に固着して上下方向に延在している複数の吊りボルトと、複数の野縁に保持されて下階の天井面を形成する複数の天井材と、を備えている。
【００１０】
そして、野縁は、開口部が水平方向を向いている溝形鋼であり、野縁受けも、開口部が上方を向いている溝形鋼であり、野縁の上部に位置するフランジと野縁受けの下方に位置するウェブとが当接した状態で、野縁及び野縁受けが接続されており、吊りボルトの下部に連結した吊り金具が、野縁受けの開口部を設けた位置で互いに対向している一対の係合受部を内側及び外側から挟持することで、吊りボルト及び野縁受けが接続されている。
【００１１】
ここで、吊りボルトの下部に設けた吊り金具は、野縁受けの一対の係合受部の内側に当接する吊りボルトに支持された板状の吊り金具本体と、野縁受けの一対の係合受け部の外側に当接する板状の補強金具と、補強金具に形成したスリットと、吊りボルトをスリットに挿入して一対の係合受部を内側及び外側から当接する吊り金具本体及び補強金具に対して挟持力を付与するねじ締結部材とで構成することが好ましい。
【発明の効果】
【００１２】
本発明に係る吊り天井構造によると、野縁及び野縁受けは、野縁の上部に位置するフランジと野縁受けの下方に位置するウェブとが当接した状態で接続されており、吊りボルト及び野縁受けは、吊りボルトの下部に連結した吊り金具が、野縁受けの開口部を設けた位置で互いに対向している一対の係合受部を内側及び外側から挟持して接続されているので、地震時に作用する水平力によって横揺れが発生しても、野縁及び野縁受けの接続部と、吊りボルト及び野縁受けの接続部は容易に変形しない。したがって、野縁に保持されている天井材の揺れが減少し、天井材の破損や脱落を防止して耐震性能を向上させることができる。
【図面の簡単な説明】
【００１３】
【図１】本発明に係る吊り天井構造を示す天井裏側からの斜視図である。
【図２】本発明に係る吊り天井構造を構成する野縁及び野縁受けの形状を示す斜視図である。
【図３】本発明に係る吊り天井構造を構成する吊り金具を示す斜視図である。
【図４】本発明に係る吊り天井構造の野縁及び野縁受けの接続構造及び天井材の配置構造を示す図である。
【図５】本発明に係る吊り天井構造の吊りボルト及び野縁受けの接続構造を示す図である。
【図６】本発明に係る吊り天井構造の吊り金具を構成する吊り金具本体の変形例を示すものである。
【図７】従来の吊り天井構造で使用しているクリップを示す図である。
【図８】従来の吊り天井構造で使用しているハンガーを示す図である。
【発明を実施するための形態】
【００１４】
以下、この発明に係る吊り天井構造について図面を参照しながら説明する。
図１は、例えばオフィスビルなどの建物の天井部として用いられる一実施形態の吊り天井構造を示すものであり、水平の一方向Ｈ１に所定の間隔をあけて並設される複数の野縁１１と、複数の野縁１１に直交する水平の他方向Ｈ２に所定の間隔をあけて並設され、複数の野縁１１の上部に一体に接続されている複数の野縁受け１２と、下端が野縁受け１２に吊り金具１３を介して接続され、上端が上階の床材（上部構造）等に固着して上下方向に延在している複数の吊りボルト１４と、複数の野縁１１に保持されて下階の天井面を形成する複数の天井材１５と、野縁受け１２と吊りボルト１４との間に斜め上下方向に延在して配置された補強ブレース１６と、を備えている。
【００１５】
次に、図２は、野縁１１及び野縁受け１２の形状を示すものである。
野縁１１は、断面コ字状の溝形鋼であり、上下方向に延在しているウェブ１１ａと、ウェブ１１ａの上部及び下部の幅方向端部から水平方向に延在し、水平方向に開口部１１ｄが開口する一対のフランジ１１ｂ，１１ｃと、一対のフランジ１１ｂ，１１ｃの端部から互いに対向する方向に突出している一対の係合受部１１ｅ，１１ｆとを備えている。
【００１６】
また、野縁受け１２も断面コ字状の溝形鋼であり、水平方向に延在しているウェブ１２ａと、ウェブ１２ａの幅方向の端部から上下方向に延在し、上方に開口部１２ｄが開口する一対のフランジ１２ｂ，１２ｃと、一対のフランジ１２ｂ，１２ｃの端部から互いに対向する方向に突出している一対の係合受部１２ｅ，１２ｆとを備えている。
そして、野縁１１と野縁受け１２との接続位置には、野縁１１の上部のフランジ１１ｂに、野縁１１の長手方向に長方向軸が延在する長孔形状のボルト挿通孔１１ｇが形成されているとともに、野縁受け１２のウェブ１２ａに円形のボルト挿通孔１２ｆが形成されている。
【００１７】
そして、図４に示すように、野縁１１のボルト挿通孔１１ｇ及び野縁受け１２のボルト挿通孔１２ｆに連結ボルト１７を挿通し、ボルト挿通孔１１ｇ側から突出した連結ボルト１７の一端に第１ナット１８を螺合し、ボルト挿通孔１２ｆ側から突出した連結ボルト１７の他端に第２ナット１９を螺合することで、野縁１１のフランジ１１ｂと、野縁受け１２のウェブ１２ａとが、連結ボルト１７及び第１、第２ナット１８，１９を介して連結される。
【００１８】
次に、図３は、吊りボルト１４の下端を野縁受け１２に接続する吊り金具１３の構造を示すものである。
吊り金具１３は、長方形板状の吊り金具本体２０と、補強金具２１と、第１及び第２ナット２２，２３と、平ワッシャ２４と、バネワッシャ２５とで構成されている。
吊り金具本体２０は、吊りボルト１４の下部を挿通し、吊りボルト１４に螺合した第１ナット２２に下側から支持されており、野縁受け１２の長手方向の内部空間を移動可能な板状部材である。
【００１９】
補強金具２１は、野縁受け１２の一対のフランジ１２ｂ，１２ｃの外壁に当接する一対の当接部２１ａ，２１ｂと、これら当接部２１ａ，２１ｂの間に形成されて野縁受け１２の開口部１２ｄの一部を閉塞する補強部２１ｃとからなる板状部材であり、補強部２１ｃの一側に吊りボルト１４が入り込むスリット２１ｄが形成されている。
そして、吊りボルト１４の下部で第１ナット２２に支持されている金具本体２０を野縁受け１２の内部空間に挿入し、補強金具２１のスリット２１ｄに吊りボルト１４を挿入して係合し、第２ナット２３を第１ナット２２側に螺合することで、図５に示すように、補強金具２１の補強部２１ｃと吊り金具本体２０とが野縁受け１２の一対の係合受部１２ｅ，１２ｆを挟持し、吊りボルト１４の下端が野縁受け１２に吊り金具１３を介して接続される。
【００２０】
そして、図４及び図５に示すように、野縁受け１２を介して吊りボルト１４に吊下げ保持された野縁１１が、天井保持部材２６を介して複数の天井材１５を保持している。
天井保持部材２６は、図４に示すように、ウェブ１１ａ、下部のフランジ１１ｃ及び下部の係合受部１１ｆの外壁に当接して野縁１１に固定されている金属平板を折曲して形成した第１保持部材２７と、下部のフランジ１１ｃ及び下部の係合受部１１ｆを覆いながら第１保持部材２７に着脱自在に重なっている化粧を施した金属平板を折曲して形成した化粧ホルダー２８と、上部のフランジ１１ｂの内壁に沿って装着された第２保持部材２９と、を備えている。
【００２１】
第１保持部材２７は、ウェブ１１ａの外壁に当接してビス３０でウェブ１１ａに固定される固定片２７ａと、固定片２７ａの上端からウェブ１１ａから離間する方向に折曲された第１挟持片２７ｂと、固定片２７ａの下端からウェブ２ａから離間する方向に凸状に折曲された第１係止部２７ｃと、この第１係止部２７ｃから下部のフランジ１１ｃ及び下部の係合受部１１ｆを覆う被覆部２７ｄと、被覆部２７ｄの端部から下部の係合受部１１ｆの上端を囲むように折曲されたリップ係合部２７ｅと、を備えている。
【００２２】
化粧ホルダー２８は、第１保持部材２７の第１係止部２７ｃが延在する方向と同一方向の下方位置に延在する第２挟持片２８ａと、第２挟持片２８ａの基部から延在して弾性変形しながら第１保持部材２７の第１係止部２７ｃの外側に重なる第１被係止部２８ｂと、第１被係止部２８ｂの基部から第１保持部材２７の被覆部２７ｄを覆って延在する化粧部２８ｃと、化粧部２８ｃの縁部に内側に折曲して形成された当接片２８ｄと、を備えている。
【００２３】
第２保持部材２９は、野縁１１のウェブ１１ａ，上部のフランジ１１ｂ及び上部の係合受部１１ｅの内壁に接触して係合する係合片２９ａと、上部の係合受部１１ｅから下方に延在する挟持片２９ｂと、を備えている。
そして、図４に示すように、野縁１１のウェブ１１ａの外周に向けて天井材１５Ａ（１５）の水平の一方向Ｈ１の端部を配置し、その天井材１５Ａの端部を、天井保持部材２６の第１保持部材２７の第１挟持片２７ｂと、化粧ホルダー２８の第２挟持片２８ａとで挟持する。また、野縁１１の開口部１１ｄに天井材１５Ｂ（１５）の水平の一方向Ｈ１の端部を挿入し、その天井材１５Ｂの端部を、天井保持部材２６の化粧ホルダー２８の当接片２８ｄと、第２保持部材２９の挟持片２９ｂとで挟持する。
【００２４】
図４のように、複数の野縁１１に装着した天井保持部材２６で、複数の天井材１５の水平の一方向Ｈ１の端部を挟持することにより、図１に示すように、複数の天井材１５が吊りボルト１４に吊下げ保持され、下階の天井面を形成する。
次に、本実施形態の吊り天井構造の効果について説明する。
本実施形態の吊り天井構造は、開口部１１ｄを水平方向に向けた溝形鋼からなる野縁１１と、開口部１２ｄを上方に向けた溝形鋼からなる野縁受け１２が、野縁１１のフランジ１１ｂと野縁受け１２のウェブ１２ａとが当接した状態で強固に接続されている。また、吊りボルト１４及び野縁受け１２が、補強金具２１の補強部２１ｃと吊り金具本体２０とで、野縁受け１２の係合受部１２ｅ，１２ｆを挟持することで強固に接続されている。
【００２５】
これにより、本実施形態の吊り天井構造は、地震時に作用する水平力（慣性力）によって横揺れが発生しても、野縁１１及び野縁受け１２の接合部（フランジ１１ｂとウェブ１２ａとが当接して接続されている部分）、及び、吊りボルト１４及び野縁受け１２の接合部（補強部２１ｃと吊り金具本体２０とが野縁受け１２の係合受部１２ｅ，１２ｆを挟持している部分）が容易に変形しないので、野縁１１に保持されている天井材１５の揺れが減少し、天井材１５の破損や脱落を防止して耐震性能を向上させることができる。
【００２６】
また、本実施形態の吊り天井構造は、水平方向に開口部１１ｄが開口している野縁１１を使用し、水平に配置した複数の天井材１５の水平の一方向Ｈ１の端部を、野縁１１に装着した天井保持部材２６を介して挟持状態で支持しているので、天井材１５の配設作業を容易に行うことができる。
ここで、図６に示すものは、野縁受け１２に接続する吊り金具１３を構成する他の構造の吊り金具本体を示すものである。
【００２７】
本実施形態の吊り金具本体３１は、略平行四辺形板状の金属部材であり、長尺側の対角線Ｌの寸法が、野縁受け１２の１対のフランジ１２ｂ，１２ｃの内壁の間の距離Ｈの寸法と略同一寸法に設定されている。
また、吊りボルト１４が挿通される吊り金具本体３１の挿通孔３１ａの周囲の表面及び裏面に、複数の突起３１ｂが形成されている。
【００２８】
そして、本実施形態の吊り金具本体３１の挿通孔３１ａに吊りボルト１４の下部を挿通し、吊りボルト１４に螺合した第１ナット２２で吊り金具本体３１を下側から支持する。
本実施形態の吊り金具本体３１は略平行四辺形板状であり、野縁受け１２の内部空間に挿入する際に、吊り金具本体３１の短尺側の対角線側の縁部を挿入の先頭にすると（図６の一点鎖線の吊り金具本体３１の状態）、野縁受け１２の内部空間への吊り金具本体３１の挿入動作を容易に行うことができる。そして、野縁受け１２の内部空間に挿入された吊り金具本体３１は、野縁受け１２の１対の係合受部１２ｅ，１２ｆに接触することで回転し、図６の実線で示す位置に配置されるので、補強部２１ｃとで係合受部１２ｅ，１２ｆを挟持することが可能となる。
【００２９】
また、吊りボルト１４に遊挿された平ワッシャ２４及びバネワッシャ２５は、本実施形態の吊り金具本体３１に形成した突起３１ｂ上に載っているので、平ワッシャ２４は、吊り金具本体３１の上面から離れた状態となる。このため、吊りボルト１４を補強金具２１のスリット２１ｄに入れる際には、吊り金具本体３１の上面から離れている平ワッシャ２４が、スリット２１ｄの縁部に係止せず、吊りボルト１４をスムーズに補強金具２１のスリット２１ｄに入れることができる。
【符号の説明】
【００３０】
１１…野縁、１１ａ…ウェブ、１１ｄ…開口部、１１ｂ，１１ｃ…フランジ、１１ｅ，１１ｆ…係合受部、１１ｇ…ボルト挿通孔、１２…野縁受け、１２ａ…ウェブ、１２ｄ…開口部、１２ｂ，１２ｃ…フランジ、１２ｅ，１２ｆ…係合受部、１２ｇ…ボルト挿通孔、１３…吊り金具、１４…吊りボルト、１５…天井材、１６…補強ブレース、１７…連結ボルト、１８…第１ナット、１９…第２ナット、２０…吊り金具本体、２１…補強金具、２２…第１ナット（ねじ締結部材）、２３…第２ナット（ねじ締結部材）、２４…平ワッシャ（ねじ締結部材）、２５…バネワッシャ（ねじ締結部材）、２６…天井保持部材、２７…第１保持部材、２８…化粧ホルダー、２９…第２保持部材、３０…ビス、２７ａ…固定片、２７ｂ…第１挟持片、２７ｃ…第１係止部、２７ｄ…被覆部、２７ｅ…リップ係合部、２８ａ…第２挟持片、２８ｂ…第１被係止部、２８ｃ…化粧部、２８ｄ…当接片、２９ａ…係合片、２９ｂ…挟持片、３０…ビス、３１…吊り金具本体、３１ａ…挿通孔、３１ｂ…突起、Ｈ１…水平の一方向、Ｈ２…水平の他方向
【図１】
2015117482.tif 000003
【図２】
2015117482.tif 000004
【図３】
2015117482.tif 000005
【図４】
2015117482.tif 000006
【図５】
2015117482.tif 000007
【図６】
2015117482.tif 000008
【図７】
2015117482.tif 000009
【図８】
2015117482.tif 000010